(57)【要約】      （修正有）【課題】多数本存在しても容易に識別することができる光ファイバコードを提供する。【解決手段】光ファイバコードは、外被に識別記号５５０および識別色５４９を備え、識別記号５５０が外被の周方向にわたって所定の間隔で複数附されており、周方向の位置に関係なく識別可能とするとともに、外被にタグ５４１を装着し、タグ５４１に識別記号５１９を形成した。【選択図】図２８
2007328344.tif 000002
【特許請求の範囲】
【請求項１】
外被に識別記号および識別色を備え、
前記識別記号が前記外被の周方向にわたって所定の間隔で複数附されており、
周方向の位置に関係なく識別可能とするとともに、
前記外被にタグを装着し、該タグに識別記号を形成したことを特徴とする光ファイバコード。
【請求項２】
前記識別記号が数字、文字またはこれらの組合せであり、当該記号が前記外被の長手方向に対して縦向きまたは横向きであると共に、所定の間隔で隣り合う当該記号の上下方向が互いに逆向きであることを特徴とする請求項１記載の光ファイバコード。
【発明の詳細な説明】
【技術分野】
【０００１】
本発明は、光ファイバコード及びこれを利用する集合型光ファイバコードに関するものである。
【背景技術】
【０００２】
従来の光配線盤は、光コネクタアダプタを多数配列してなるコネクタ接続盤と、光コネクタプラグ付きの光ファイバコードのうち、未接続の光ファイバコードを保留するための保留盤とを備えたもので、接続や接続替えでは次の３つの作業が行われる。
（１）保留盤に保留してある光ファイバコードの光コネクタプラグを接続盤の任意の位置の光コネクタアダプタに接続する。
（２）接続盤の任意の位置の光コネクタアダプタに接続されている光ファイバコードの光コネクタプラグを抜き取り、他の光コネクタアダプタに接続替えを行う。
（３）接続盤の任意の位置の光コネクタアダプタに接続されている光ファイバコードの光コネクタプラグを抜き取り、保留盤に保留する。
【０００３】
また、光ファイバケーブルなどのような集合型光ファイバコードがある。
この集合型光ファイバコードは、光ファイバコードを複数本ずつ包縛して束ねてユニットとし、このユニットを複数まとめることにより構成される。
このような集合型光ファイバコードは、各ユニット内で光ファイバコードを識別できるように、光ファイバコードの外被に識別記号が直接印刷されたり、光ファイバコードの外被に識別記号を附したリングが装着されている。
【０００４】
ところで、光ファイバ通信網の拡大につれて、配線盤内で輻輳化した配線の接続替えが頻繁に行われるようになるため、前述したような集合型光ファイバコードを収容する整列盤の近傍部分においては、接続替えの行われる光ファイバコードと、接続を解除されて保留盤に収容される光ファイバコードとが集中するようになる。
したがって、前述したような集合型光ファイバコードにおいては、各光ファイバコードを確実に識別できるようにすることは極めて重要である。
【０００５】
また、高度な光通信網に設置される設備センターにおいては、該センター外の光ファイバと該センター内の伝送装置との間を結ぶための設備センター内の光配線について、それらの情報を管理し、光配線を効率的に運用するために光配線システムが用いられている。
ここで、このようなシステムに用いられる従来の光ファイバケーブル終端装置（ＦＴＭ： Fiber Termination Module）の例を以下に説明する。
一般的にＦＴＭは加入者光ファイバケーブルと設備センター局舎の所内光ファイバケーブルとの接続点に設置される。
従来例としては、非特許文献１（電子情報通信学会技術研究報告CS95-50,CS95-16,pp59-66「光線路試験システムの高速化・大容量化技術に関する検計」）に記載されているものがある。
【非特許文献１】電子情報通信学会技術研究報告CS95-50,CS95-16,pp59-66「光線路試験システムの高速化・大容量化技術に関する検計」（電子情報通信学会１９９５年６月発行）
【０００６】
図２９にこのような従来のＦＴＭを含む所内設備の構成を、図３０に設備センター内の所内設備の配置を示す。
図中、１はＦＴＭ、２は光カプラ、３は光ファイバ選択装置（ＦＳ：Fiber Selector）、４は光カプラ２からの試験用分岐光ファイバ、５は光合分波器、６は伝送装置側光フィルタ、７は通信系光加入者線端局装置、８は映像系光加入者線端局装置、９は光加入者線端局装置収容架、１０はスターカプラ架、１１は試験装置架（ＴＥＭ：Test Equipment Module）、１２は試験装置、１３は光ファイバ選択装置制御及び試験装置選択装置（ＦＴＥＳ）、１４はＦＳマスタ側光ファイバ、１５は第１所内光ファイバケーブル、１６は第２所内光ファイバケーブル、１７は加入者系光ファイバケーブル、１８は加入者側光フィルタ、１９は通信系光加入者線終端装置、２０は映像系光加入者線終端装置である。
【０００７】
光ファイバを介して通信並びに映像サービスを提供する形態について、図２９に基づいて説明する。
このサービスを高い信頼性で提供するため、設備センター内には、ＦＴＭｌ、光加入者線端局装置収容架９、スターカプラ架１０、ＴＥＭ１１が設置されている。
通信を提供する通信系光加入者線端局装置７から出力される１．３μｍ帯の通信光と、映像サービスを提供する映像系光加入者線端局装置８から出力される１．５５μｍ帯の通信光は、第１所内光ファイバケーブル１５を介してスターカプラ架１０に入射される。
【０００８】
このスターカプラ架１０の光合分波器５において、１．３μｍ帯と１．５５μｍ帯との通信光が渡長多重され、更に復数出力ポートに波長多重された通信光が等分配される。
この光合分波器５の各ポートから出力される通信光は、第２所内光ファイバケープル１６を介してＦＴＭ１に入射される。
ＦＴＭ１に入射された通信光は、試験光を合分波する光カプラ２を通過し、加入者系光ファイバケーブル１７を介して通信系光加入者線終端装置１９及び映像系光加入者線終端装置２０に波長分波され、通信及び映像サービスとして提供される。
【０００９】
光ファイバケーブルの布設及び保守の際に、設備センター内から光ファイバを試験する方法を以下に説明する。
ＦＴＭ１内のＦＳ３により、光カプラ２からの試験用分岐支光ファイバ４とＴＥＭ１１内の試験装置１２に接続されているＦＳマスタ側光ファイバ１４とを、選択的に光結合する。
また、ＴＥＭ１１内のＦＴＥＳ１３により、試験装置１２内の光パルス試験器を選択する。
以上により、光パルス試験器からの試験光が加入者系光ファイバケーブル１７に入射され、損失分布測定及び故障位置探査が迅速に行われる。
【００１０】
ここで、試験を行う際、試験光が通信系光加入者線終端装置１９及び映像系光加入者線終端装置２０に入射するのを防ぐため、試験光を遮断し通信光を透過する加入者側光フィルタ１８が、通信系光加入者線終端装置１９及び映像系光加入者線終端装置２０の直前に設置される。
また、通信系光加入者線端局装置７に試験光及び映像系光加入者線端局装置８から出力される１．５５μｍ帯の通信光の反射光等が入射するのを防ぐため、試験光及び１．５５μｍ帯の通信光を遮断し１．３μｍ帯の通信光を透過する伝送装置側光フィルタ６が、光合分波器５の１．３μｍ帯の通信光の入力ポートに設置される。
【００１１】
図３１は光カプラ２及びＦＳ３を具える従来のＦＴＭ１の構成を示す図であり、図２９の各部に対応する部分には同一の参照符号が付されている。
図３１において、２１は余長振り分け部材、２２は余長処理棚である。
ＦＴＭ１の左側は光カプラ２が各段毎に複数ユニット並設収容されており、この各光カプラ２から分岐された試験用分岐光ファイバ４が最下部に配置されているＦＳ３に接続される。
また、右側には、主に第２所内光ファイバケーブル１６の接続余長を収容するための余長振り分け部材２１及び余長処理棚２２が配備された、余長収容スペースが確保されている。
【００１２】
図３２は従来のＦＴＭにおける接続部の構成を示す図であり、図２９及び図３１の各部に対応する部分には同一の参照符号が付されている。
図３２において、２３は光コネクタアダプタ、２４は光コネクタ、２５は単心テープ心接続部である。
光カプラ２には、予め単心テープ心接続部２５及び光コネクタ２４が装着されている。
サービス開始の際には、加入者系光ファイバケーブル１７及びＦＳマスタ側光ファイバ１４を光カプラ２に接続する。
次にこの光カプラ２に接続された光コネクタアダプタ２３に第２所内光ファイバケーブル１６側の光コネクタ２４を接続してサービス開始となる。
【発明の開示】
【発明が解決しようとする課題】
【００１３】
しかしながら、従来の集合型光ファイバコードにおいては、各ユニット内で光ファイバコードを識別することはできるものの、その識別記号がユニットごとに同一なため、ユニットの包縛を解除してしまうと、目的とする光ファイバコードを特定することが困難となってしまうという問題点があった。
特に、上述したような配線盤内の配線に使用される集合型光ファイバコードにおいては、一心単位で異方向に配線または配線替えされたりするため、包縛したユニットのまま配線することができず、使用することができなかった。
【００１４】
本発明は、上記の事情に鑑みてなされたものであって、その目的は、多数本存在しても容易に識別することができる光ファイバコードおよびこれを利用する集合型光ファイバコードを提供することにある。
【課題を解決するための手段】
【００１５】
上記課題を解決するために、本発明は次の様な光ファイバコード及びこれを利用する集合型光ファイバコードを提供した。
すなわち、本発明の請求項１記載の光ファイバコードは、外被に識別記号および識別色を備え、さらに前記外被にタグを装着し、該タグに識別記号を備えたことを特徴としている。
この光ファイバコードでは、目的の光ファイバコードを容易に判別し、接続替えを迅速に行なう。
これにより、配線盤内での作業性を大幅に改善し、今後の光通信の進展へ向けて、加入者に対するサービスを迅速かつ正確に提供することが可能になる。
【００１６】
請求項２記載の光ファイバコードは、請求項１記載の光ファイバコードにおいて、前記識別記号が数字、文字またはこれらの組み合わせであり、当該記号が前記外被の長手方向に対して縦向きまたは横向きであると共に、所定の間隔で隣り合う当該記号の上下方向が互いに逆向きであることを特徴としている。
【００１７】
この集合型光ファイバコードでは、光ファイバケーブルの外被や各ユニットの包縛を解除しだ状態であっても、識別色により目的のユニットの光ファイバコードを容易に判別し、さらに、識別記号により目的とする一心の光ファイバコードを容易に選別し、接続替えを迅速に行なう。
これにより、配線盤内での作業性を大幅に改善し、今後の光通信の進展へ向けて、加入者に対するサービスを迅速かつ正確に提供することが可能になる。
【発明の効果】
【００１８】
以上説明した様に、本発明の光ファイバコードによれば、外被に識別記号および識別色を備えたので、目的の光ファイバコードを容易に判別することができ、接続替えを迅速に行なうことができる。
したがって、配線盤内での作業性を大幅に改善することができ、今後の光通信の進展へ向けて、加入者に対するサービスを迅速かつ正確に提供することができる。
【００１９】
本発明の集合型光ファイバコードによれば、光ファイバコードの識別色がユニットごとに異なり、光ファイバコードの識別記号が少なくともユニット内で異なることとしたので、識別色により目的のユニットの光ファイバコードを容易に判別することができ、さらに、識別記号により目的とする一心の光ファイバコードを容易に選別することができ、接続替えを迅速に行なうことができる。
したがって、配線盤内での作業性を大幅に改善することができ、今後の光通信の進展へ向けて、加入者に対するサービスを迅速かつ正確に提供することができる。
【発明を実施するための最良の形態】
【００２０】
以下、本発明の各実施の形態について図面に基づき説明する。
【００２１】
［第１の実施の形態］図１は本発明の第１の実施形態に係る光配線盤を示す構成図であり、図１において、１０１は配線盤本体、１０２は配線盤本体１０１の所定位置に設置されたコネクタ接続盤、１０３は配線盤本体１０１の他の所定位置に設置された保留盤、１０４は端部に光コネクタプラグ１０５を装着した光ファイバコード、１０６は配線盤本体１０１に光ファイバコード１０４（または光ファイバケーブル）を引き込むための収容部、１０７は配線盤本体１０１のコネクタ接続盤１０２と保留盤１０３との間に設置された整列盤である。
【００２２】
コネクタ接続盤１０２は、光コネクタプラグ１０５同士を接続するための光コネクタアダプタ１０８を多数配列している。
保留盤１０３は、光コネクタプラグ１０５を係止する係止部（図示せず）を複数個備え、収容部１０６から引き込まれた光ファイバコード１０４のうち、未接続の光ファイバコード１０４を保留する。
整列盤１０７は、整列部材取付枠１０９を介して整列部材１１０を複数個、鉛直方向に並べて構成されている。
【００２３】
図２は整列部材１１０の詳細を示すもので、全体略コの字形状を有し、対向する２つのアーム部分１１１，１１２にはそれぞれ、少なくとも１本の光ファイバコードを略水平方向に収容・保持可能な光ファイバコード通過口１１３，１１４か設けられている。
また、通過口１１３，１１４の側方には光ファイバコード１０４を出し入れ可能にするためのスリツト状（または開閉式）の開口部１１３ａ，１１４ａが形成されている。
従って、整列盤１０７には各光ファイバコード通過ロ１１３，１１４が鉛直方向に複数個並べられていることになる。
【００２４】
前記構成において、収容部１０６より配線盤本体１０１内に引き込まれた光ファイバコード１０４は全て、整列盤１０７のいずれかの光ファイバコード通過口１１３（入口側）に通され、さらにその光ファイバコード１０４のうち、接続されるもの（使用中）は光ファイバコード通過口１１４（出口側）に通された後、コネクタ接続盤１０２側へ引き回されて光コネクタアダプタ１０８に接続され、保留されるものは通過口１１４に通されることなく、保留盤１０３側へ引き回されて（その係止部に係止されて）保留される。
【００２５】
保留中の光ファイバコード１０４を接続する際は、保留盤１０３の係止部より光コネクタプラグ１０５を外し、当該光ファイバコード１０４を整列盤１０７の近傍で手繰り寄せ、絡まりを解除した後、光コネクタプラグ１０５をコネクタ接続盤１０２の任意の光コネクタアダプタ１０８に接続し、開ロ１１４ａから光ファイバコード通過口１１４に挿入する。
同様にして、コネクタ接続盤１０２に接続された光ファイバコード１０４を他の光コネクタアダプタ１０８あるいは保留盤１０３に接続替えすることができる。
【００２６】
ここで、各整列部材１１０に光ファイバケーブル単位の光ファイバコード１０４を収容することで、光ファイバケーブル間の光ファイバコードを分離することができ、光ファイバコード１０４の絡まりを回避できる。
また、整列部材１１０を多数配列した整列盤１０７を用いることで、光配線盤内の光伝送特性を安定に保つことができるので、従来と比較して光配線盤の高密度化を図ることが可能となる。
【００２７】
図３は整列部材の他の例を示すもので、ここでは一方のアーム部分に２つの光ファイバコード通過口を設けた例を示す。
即ち、図中、１２０は整列部材であり、全体略コの字形状を有し、一方のアーム部分１２１には、前記同様の光ファイバコード通過口１２３が設けられ、また、他方のアーム部分１２２には、前記同様の光ファイバコード通過口１２４，１２５が設けられている。
また、通過口１２３，１２４，１２５の上方には、前記同様の開口部１２３ａ，１２４ａ，１２５ａが形成されている。
【００２８】
前記構成において、収容部１０６より配線盤本体１０１内に引き込まれた光ファイバコード１０４は全て、光ファイバコード通過口１２３（入口側）に通され、さらにその光ファイバコード１０４のうち、接続されるもの（使用中）は光ファイバコード通過口１２４（出口側）に通された後、コネクタ接続盤１０２側へ引き回されて接続され、保留されるものは光ファイバコード通過ロ１２５（出口側）に通された後、保留盤１０３側へ引き回されて保留される。
【００２９】
保留中の光ファイバコード１０４を接続する際には、保留盤１０３の係止部より光コネクタプラグ１０５を外し、整列部材１２０の通過口１２５の位置に光コネクタプラグ１０５が来るまで、当該光ファイバコード１０４を整列盤１０７の近傍で手繰り寄せ、絡まりを解除した後、開口１２５ａを介して光ファイバコード通過口１２５から抜き取り、光コネクタプラグ１０５をコネクタ接続盤１０２の任意の光コネクタアダプタ１０８に接続し、開口１２４ａから光ファイバコード通過口１２４に挿入する。
同様にして、コネクタ接続盤１０２に接続された光ファイバコード１０４を他の光コネクタアダプタ１０８あるいは保留盤１０３に接続替えすることがてきる。
【００３０】
図４は整列部材のさらに他の例を示すもので、ここでは全体略口形状となし、さらに光ファイバコードを光配線盤本体に対して前後方向に通過させるようになした例を示す。
即ち、図中、１３０は整列部材であり、全体略口形状を有し、一の部分１３１には、前記同様の光ファイバコード通過ロ１３３が設けられ、また、一の部分に対向する他の部分１３２には、前記同様の光ファイバコード通過口１３４，１３５が設けられている。
また、通過口１３３，１３４，１３５には前記同様の開口部１３３ａ，１３４ａ，１３５ａが形成されている。
ここで、光ファイバコード通過口１３４，１３５が図３の光ファイバコード通過口１２４，１２５に対応し、その作用・効果は図３の場合と同様である。
【００３１】
なお、整列部材に収容する光ファイバコードとしては、光ファイバケーブル内の光ファイバコード以外に、光部品類と接続した光ファイバコードも含まれる。
この場合、光部品類と接続した光ファイバコードを一定数集合し、整列部材に収容することで、前記同様の運用ができる。
【００３２】
このように接続や接続替えを行う際に整列部材を使用することで、光ファイバコードの絡まりを解除し、使用中と保留中の光ファイバコードを分離することができる。
したがって、接続や接続替えを繰り返し行った場合においても、光ファイバコードの絡まりを回避することができる。
【００３３】
［第２の実施の形態］本発明の第２の実施形態に係る光ファイバコードおよびこれを利用する集合型光ファイバコードについて図面に基づき説明する。
図５は、本発明の第２の実施形態に係る光ファイバコードの一例を示す外観図、図６は、図５の光ファイバコードを利用した集合型光ファイバコードの概略構成図、図７は、図６の集合型光ファイバコードの配線盤への接続状態を説明する説明図である。
【００３４】
図５に示すように、内部に心線を有する光ファイバコード２１０の外被２１１には、識別記号２１２が当該光ファイバコード２１０の長手方向に沿って所定の間隔（好ましくは２０〜５０ｍｍ間隔）で複数附されている。
この識別記号２１２は、二桁の数字からなり、当該光ファイバコード２１０の長手方向に対して縦向きであると共に、所定の間隔で隣り合う上下方向が互いに逆向きとなっている。
また、上記光ファイバコード２１０の上記外被２１１には、識別色であるカラードット２１３が当該光ファイバコード２１０の長手方向にわたって所定の間隔（好ましくは２０〜５０ｍｍ間隔）で複数附されている。
【００３５】
このような光ファイバコード２１０を用いて、図６に示すように、複数本ずつ包縛してユニット３００を構成し、このユニット３００を複数まとめて集合型光ファイバコード３１０を構成したり（図６（ａ）参照）、あるいは、外被３２１を設けた集合型光ファイバコード３１０である光ファイバケーブル３２０を構成したり（図６（ｂ）参照）する。
【００３６】
このように、上記光ファイバコード２１０のカラードット２１３を上記ユニット３００ごとに異ならせると共に、上記光ファイバコード２１０の識別記号２１２を当該ユニット３００内て相違させれば、光ファイバケーブル３２０の外被３２１や各ユニット３００の包縛を解除した状態であっても、カラードット２１３により目的のユニット３００の光ファイバコード２１０を容易に判別することができ、さらに、識別記号２１２により目的とする一心の光ファイバコード２１０を容易に選別することができる。
【００３７】
このため、図７に示すように、配線盤２０１の接続盤２０２に集合型光ファイバコード３１０の各光ファイバコード２１０の一端側をそれぞれ個別に配線し、整列盤２０３に上記集合型光ファイバコード３１０の各光ファイバコード２１０の他端側を収容すると共に、光ファイバケーブル３２０の各光ファイバコード２１０の一端側を収容し、当該光ファイバケーブル３２０の一部の光ファイバコード２１０の他端側を外部系に配線し、当該光ファイバケーブル３２０の残りの光ファイバコード２１０の他端側を保留盤２０４に配線し、整列盤２０３に一端側を収容された光ファイバケーブル３２０の光ファイバコード２１０の他端側を接続替えする場合であっても、上述したようにカラードット２１３および識別記号２１２により目的とする一心の光ファイバコード２１０を容易に選別するこどができ、接続替えを迅速に行うことができる。
【００３８】
したがって、配線盤２０１内での作業性を大幅に改善することができるので、今後の光通信の進展へ向けて、加入者に対するサービスを迅速かつ正確に提供することができるようになる。
【００３９】
また、図５に示すように、光ファイバコード２１０の外被２１１に長手方向に沿って所定の問隔で識別記号２１２およびカラードット２１３を複数附したので、長手方向の位置に関係なく識別することが容易にできる。
【００４０】
また、図５に示すように、識別記号２１２が光ファイバコード２１０の長手方向に対して縦向きであると共に、所定の間隔で隣り合う上下方向が互いに逆向きとなっているので、光ファイバコード２１０の周方向どちら側からでも目視碓認することが容易にできる。
【００４１】
なお、本実施の形態では、長手方向に沿って所定の間隔でカラードット２１３を外被２１１に複数附した光ファイバコード２１０を用いたが、例えば、図８に示すように、外被２１１に識別色であるカラーライン２２３を長手方向にわたって連続して附した光ファイバコード２２０を用いることも可能である。
【００４２】
また、図９に示すように、識別記号２１２およびカラードット２１３を外被２１１に周方向にわたって所定の間隔で複数（好ましくは周方向に等間隔で二箇所）附した光ファイバコード２３０としたり、図１０に示すように、識別記号２１２及びカラーライン２２３を外被２１１に周方向にわたって所定の間隔で複数（好ましくは周方向に等間隔で二箇所）附した光ファイバコード２４０とすれば、これら光ファイバコード２３０，２４０が撚れを生じても、目視確認を容易に行うことができる。
【００４３】
また、本実施の形態では、長手方向に対して縦向きであると共に、所定の間隔で隣り合う上下方向が互いに逆向きとなる識別記号２１２を外被２１１に附した光ファイバコード２１０を用いることにより、光ファイバコード２１０の周方向どちら側からでも目視確認することが容易にできるようにしたが、例えば、図１１，１２に示すように、長手方向に対して横向きであると共に、所定の間隔で隣り合う上下方向が互いに逆向きとなる識別記号２５２を外被２１１に附した光ファイバコード２５０，２６０を用いることにより、光ファイバコード２１０の長手方向どちら側からでも目視確認することが容易にできるようにすることも可能である。
【００４４】
また、本実施の形態や上述した他の例においては、長手方向に沿ってカラードット２１３やカラーライン２２３を外被２１１に附した光ファイバコード２１０，２２０について説明したが、例えば、図１３，１４に示すように、カラー樹脂からなる外被２７１を使用して当該外被２７１の外観色を識別色とした光ファイバコード２７０，２８０を用いることも可能である。
【００４５】
また、本実施の形態では、二桁の数字からなる識別記号２１２を外被２１１に附した光ファイバコード２１０を用いたが、例えば、文字または文字と数字との組み合わせからなる識別記号を外被に附した光ファイバコードを用いることも可能である。
また、識別記号２１２は、少なくともユニット３００内で異なっていれば十分であるが、すべてのユニットの光ファイバコードで異なっていてもよい。
【００４６】
［第３の実施の形態］本発明の第３の実施形態に係る光配線システムについて図面に基づき説明する。
〔第１実施例〕図１５は統合型光配線システムを含む所内設備の構成を示す図であり、図１６は統合型光配線システムと設備センター内にある他の設備との接続形態を説明する図である。
【００４７】
図中、４０１は統合型光配線システム、４０２は光カプラ、４０３は光ファイバ選択装置（ＦＳ）、４０７は通信系光加入者線端局装置、４０８は映像系光加入者線端局装置、４０９は光加入者線端局装置収容架、４１０はスターカプラ架、４１１は試験装置架（ＴＥＭ）、４１５は第１所内光ファイバケーブル、４１７は加入者系光ファイバケーブル、４２６は試験アクセス機能部、４２７はクロスコネクト機能部、４２８はスプリッタ機能部、４２９は光配線機能部、４３０は光ファイバ選択機能部、４３１は作業支援携帯端末、４３２は中間光配線管理機能部、４３３は総合光配線管理部、４３４はデータ通信ネットワークである。
【００４８】
また、４３５は他の設備オペレーションシステム、４３６は統合型光配線モジュール（ＩＤＭ：Integrated Distribution Module）、４３７は統合型光配線モジュール内の光配線情報、構成品情報及び回線情報を管理する光配線管理機能部、４３９は装置間インタフェース、４７１は光試験機能部とモニター機能部と光ファイバ対照機能部とを選択する測定器選択機能部、４７２は光ファイバケーブルの光ファイバを光試験する光試験機能部、４７３は通信光及び試験光をモニターするモニター機能部、４７４は光ファイバを対照するための光ファイバ対照機能部、４８０は端局装置側成端機能部、４８１は端末装置側成端機能部である。
【００４９】
光加入者線端局装置収容架４０９からの第１所内光ファイバケーブル４１５は、統合型光配線システム４０１の第１の接続端に接続され、統合型光配線システム４０１の第２の接続端には加入者系光ファイバケーブル４１７が接続されている。
統合型光配線システム４０１は、装置間インタフェース４３９を介してＴＥＭ４１１と接続される。
【００５０】
光配線機能部４２９は、第１所内光ファイバケーブル４１５をＩＤＭ４３６に複数設けられているクロスコネクト機能部４２７及びスプリッタ機能部４２８に分配する。
スプリッ夕機能部４２８は、光加入者線端局装置４０７，４０８からの通信光を複数の出力ポートに分配する。
クロスコネクト機能部４２７は、光配線機能部４２９及びスプリッタ機能部４２８からの任意の光ファイバと第２光ファイバケーブル４１７の任意の光ファイバとを接続替えする。
試験アクセス機能部４２６は、第１光ファイバケーブル４１５の光ファイバ及び第２光ファイバケーブル４１７の光ファイバに試験光を入出力する。
光ファイバ選択機能部４３０は、試験アクセス機能部４２６の試験光の入出力ポートを選択する。
【００５１】
このような統合型光配線システム４０１により、従来設備の複数の機能を統合することに加え、新たに光配線機能部４２９を設けることにより設備センター内の配線経路の簡素化を行うことができ、機能統合化により装置の経済化を達成することができる。
【００５２】
即ち、上述の図２９についての説明の通り、従来の設備構成ではＯＬＴ架９−スターカプラ架１０−ＦＴＭ１間の所内光配線に複数の経路が存在するので、第１所内光ファイバケーブル４１５及び第２所内光ファイバケーブル４１６が大量に必要になり、深刻な輻輳を招いていた。
これに対して、図１５及び図１６について説明した本発明の実施例においては、ＯＬＴ架４０９からの第１所内光ファイバケーブル４１５を全てＩＤＭ４３６内の光配線機能部４２９に一括配線するので、多心の第１所内光ファイバケーブル４１５を利用した簡素な光配線が可能になる。
また、従来のスターカプラ架１０−ＦＴＭ１間の所内光配線は、本発明の実施例ではＩＤＭ４３６内部に吸収され、統合型光配線システム４０１の管理下に置かれる。
【００５３】
〔第２実施例〕この実施例においては、光ファイバ選択機能部４３０に、光試験機能部４７２、モニター機能部４７３、光ファイバ対照機能部４７４、及び光試験機能部とモニター機能部と光ファイバ対照機能部とを選択する測定器選択機能部４７１で構成される光試験モジュール４１１を接続する。
光試験機能部４７２は光ファイバケーブルの光ファイバを光試験する機能を有し、モニター機能部４７３は通信光及び試験光をモニターする機能を有し、光ファイバ対照機能部４７４は光ファイバを対照する機能を有する。
この実施例により、加入者系光ファイバケーブル４１７の新設の際の試験及び保全のための試験を実行することができる。
【００５４】
〔第３実施例〕図１７及び図１８は、本実施形態の第３実施例を説明するための図である。
図中、４４０はＩＤＭ４３６の基本モジュール、４４１はＩＤＭ４３６の増設モジュール、４４２は試験アクセスユニット、４４３は整列盤、４４４は保持盤ユニット、４４５は挿抜光ファイバ、４４６は配線ユニット、４４７は接続盤、４４８は所内光ファイバケーブル固定部、４４９は保持盤、４５０は第３所内光ファイバケーブルである。
【００５５】
この実施例におけるＩＤＭ４３６の基本モジュール４４０は、試験アクセス機能部４２６、クロスコネクト機能部４２７、スプリッタ機能部４２８、光配線機能部４２９及び光ファイバ選択機能部４３０を具えており、増設モジュール４４１は、試験アクセス機能部４２６、クロスコネクト機能部４２７、スプリッタ機能部４２８及び光ファイバ選択機能部４３０を具えている。
【００５６】
試験アクセスユニット４４２は試験アクセス機能部４２６及び光ファイバ選択機能部４３０を持ち、挿抜光ファイバ４４５及び接続盤４４７はクロスコネクト機能部４２７を構成し、配線ユニット４４６は一つのＩＤＭ基本モジュール４４０から複数の増設モジュール４４１への配線を行う配線機能を有する。
増設モジュール４４１を用いて収容心線の増加に対応することにより、収容心線の増加に関係なく通信設備センター内光配線の管理機能を保持することができる。
【００５７】
光配線の接続替えは、通常、ＩＤＭ４３６内のクロスコネクト機能部４２７が担当するが、ここでは、接続盤４４７に接続された挿抜光ファイバ４４５の接続替えを行うことによって実行する。
従来のＦＴＭでは収容心線数が有限であることから、単一のＦＴＭの内部で解決し得ない接続替えの事例が発生する可能性が存在するが、本実施例によれば、設備センター内の光配線を統合型光配線システム４０１が一括管理するため、このような問題を生じない。
【００５８】
また、このような本実施例によれば、光配線機能部４２９によってクロスコネクト機能部４２７の範囲外の接続替えを実行できるので、通信系光加入者線端局装置４０７と加入者系光ファイバケーブル４１７との間及び映像系光加入者線端局装置４０８と加入者系光ファイバケーブル４１７との間の光配線を完全に任意に選択接続することが可能になる。
また、本実施例によれば、従来のスターカプラ架１０とＦＴＭ１とを統合しているので、装置が占めるスペースを減らすことになり、設備センター内の収容心線密度を上げることができる。
【００５９】
次に、図１８を用いて本発明の統合型光配線システムにおけるＩＤＭ４３６と従来の所内設備との接続形態を説明する。
従来のＦＴＭ１は第２所内光ファイバケーブル４１６を介してスターカプラ架４１０中の光合分波器に接続し、スターカプラ架４１０は第３所内光ファイバケーブル４５０を介してＩＤＭ基本モジュール４４０中の配線ユニット４４６に接続する。
【００６０】
本実施例によれば、従来の所内設備を合わせて収容することにより、従来の所内設備が接続される所内光ケーブル配線においても、本実施例の統合型光配線システム４０１が一括管理することが可能になり、設備センター内配線経路の簡素化及び設備センター内配線の輻輳回避を行うことができる。
【００６１】
〔第４実施例〕この実施例においては、光配線管理機能部４３７が、作業支援携帯端末４３１、中間光配線管理機能部４３２及び総合光配線管理部４３３を具えている。
中間光配線管理機能部４３２は、ＩＤＭ４３６内の光配線情報、構成品情報及び回線情報を管理するデータベースを持ち、接続替え作業の指示を行う機能を有する。
【００６２】
作業支援携帯端末４３１は、中間光配線管理機能部４３２のデータベースを参照し、接続替え等の作業内容を投入する情報交換機能を持ち、作業者の接続替え作業の支援を行う。
総合光配線管理部４３３は、複数の中間光配線管理機能部４３２からの光配線情報を統合して管理し且つ他のオペレーションシステム４３５との接続を管理する。
この実施例においては、光配線管理機能部４３７により、効率的な設備情報管理、他のオペレーションシステム４３５との連携及び接続替え作業者の作業支援が可能になる。
【００６３】
〔第５実施例〕この実施例においては、クロスコネクト機能部４２７として、整列盤を用いたジャンパ方式を用いる。
図１９は整列盤を用いたジャンパ方式を説明するための図であり、４２３は光コネクタアダプタ、４２４は光コネクタ、４４３は整列盤、４４５は挿抜光ファイバ、４４７は接続盤、４４９は保持盤、４５１はコードストッパ、４５４は余長収納部である。
【００６４】
以下に整列盤４４３を用いる挿抜光ファイバ４４５の接続替え方法を説明する。
挿抜光ファイバ４４５は整列盤４４３に摺動可能に緩く保持されるので、装置前面及び背面の挿抜光ファイバ余長収納部４５４に挿抜光ファイバ４４５の余長部分を分散して収納する。
また、接続替えを行う際には、装置前面の余長収納部４５４に多くの挿抜光ファイバ４４５の余長部分があっても、一且整列盤４４３の盤面直前まで光コネクタ４２４を引き上げるため、操作性及び視認性を確保することができる。
【００６５】
挿抜光ファイバ４４５の接続替えは、接続盤４４７に具えられている第１光コネクタアダプタ４２３に固定された挿抜光ファイバ４４５の光コネクタ４２４を接続盤４４７に具えられている第２光コネクタアダプタ４２３に差し替えることによって行う。
【００６６】
図１９（ａ）は接続状態を示す図であり、第１の光コネクタアダプタ４２３に挿抜光ファイバ４４５の光コネクタ４２４が固定されている。
図１９（ｂ）では第１の光コネクタアダプタ４２３から光コネクタ４２４を引き抜いている。
図１９（ｃ）では光コネクタ４２４が引き抜かれた挿抜光ファイバ４４５を整列盤４４３の背面から引き上げ、挿抜光ファイバ４４５の光、コネクタ４２４を整列盤４４３の保持穴の面の直前まで引き戻す。
これにより、多くの挿抜光ファイバ４４５の余長部分が収納されている前面挿抜光ファイバ余長収納部４５４から特定の光コネクタ４２４を選択することができる。
【００６７】
図１９（ｄ）では光コネクタ４２４を選択し、挿抜光ファイバ４４５を整列盤４４３の前面に必要な長さだけ引き出す。
この時、他の挿抜光ファイバの外側に当該挿抜光ファイバ４４５を配線し、当該挿抜光ファイバ４４５の光コネクタ４２４を接続盤４４７に具えられている第２の光コネクタアダプタ４２３に接続する。
図１９（ｅ）では挿抜光ファイバ４４５の余長部分を、前面及び背面の余長収納部４５４に、操作性及び視認性を確保できるようにバランスよく収納する。
【００６８】
本実施例によれば、挿抜光ファイバの余長部分が存在していても、切替える挿抜光ファイバ及び光コネクタを容易に選択できるので、接続替えを行う際の操作時間を短縮することができる。
【００６９】
〔第６実施例〕この実施例においては、挿抜光ファイバ４４５の図１９（ａ）に４５３で示す位置に、バーコードを利用した挿抜光ファイバ識別記号を付与し、これを作業支援携帯端末４３１で読取るようにする。
この実施例により、挿抜光ファイバ４４５の探索時間が短縮され、作業効率が向上し、挿抜光ファイバ４４５の選択の誤り防止が可能になる。
【００７０】
〔第７実施例〕この実施例においては、接続盤４４７及び保持盤ユニット４４４に、中間光配線管理機能部４３２からの指示データを表示する表示部を設ける。
図２０は接続盤４４７の一部分を示す図であり、配列された光コネクタアダプタ４２３に隣接して、ＬＥＤからなる表示部４５２が設けられている。
接続盤４４７に設けられた表示部４５２は、作業者が挿抜を行うべき接続盤４４７上の接続端子を指示し、保持盤ユニット４４４に設けられた表示部４５２は、作業者が挿抜を行うべき挿抜光ファイバ４４５を指示する。
【００７１】
この実施例により、挿抜光ファイバ接続盤上の各接続部の探索がより確実且つ迅速になり、接続替え作業を行う際の作業効率の向上及び光コード選択を行う際の誤認の防止が可能になる。
【００７２】
〔第８実施例〕この実施例においては、光ファイバ選択機能部４３０に可視光源を接続し、挿抜光ファイバ４４５に可視光を漏洩させる曲げ付与部を設ける。
可視光源で発生した可視光は、ＦＳマスタ側光ファイバから挿入され、接続盤４４７を通って挿抜光ファイバ４４５に伝搬し、前面挿抜光ファイバ余長収納部及び背面挿抜光ファイバ余長収納部に収納された挿抜光ファイバ４４５の曲げ部分で外部に洩れ出る。
この洩れ光を目視することにより、挿抜光ファイバ４４５を識別することができる。
【００７３】
これにより、挿抜光ファイバ４４５を選択する際、確実且つ迅速に当該挿抜光ファイバ４４５を整列盤４４３の背面から選択でき、接続替え作業を行う際に作業性を向上させることができ、且つ誤操作を防止することができる。
また、可視光源として半導体レーザー、Ｈｅ−Ｎｅレーザー等を用いることができる。
【００７４】
〔第９実施例〕この実施例においては、クロスコネクト機能部４２７に、誤操作のない接続替え方式を適用する。
図２１はこの実施例を説明するための図であり、図中、４０３は光ファイバ選択装置（ＦＳ）、４１７は加入者系光ファイバケーブル、４４４は保持盤ユニット、４４５は挿抜光ファイバ、４４７は接続盤、４５５は第１の光カプラ、４５６は第２の光カプラ、４５７は光カプラＡポート、４５８は光カプラＢポート、４５９は光カプラＣポート、４６０は光カプラＤポート、４６１は光パルス試験器、４６２は可視光源、４６３は光モニター装置、４６４は第１の接続端子、４６５は第２の接続端子である。
【００７５】
挿抜光ファイバ４４５から出た信号光は、接続盤４４７上の第１の接続端子４６４、第１の光カプラ４５５の光カプラＢポート４５８及び第１の光カプラ４５５の光カプラＡポート４５７を順次通過して加入者系光ファイバケーブル４１７に到達する。
【００７６】
光カプラ４５５、４５６は光分岐機能を持つため、光カプラＡポート４５７から挿入された光は光カプラＢポート４５８及び光カプラＣポート４５９に分岐され、光カプラＢポート４５８から挿入された光は光カプラＡポート４５７及び光カブラＤポート４６０に分岐され、光カプラＣポート４５９から挿入された光は光カプラＡポート４５７及び光カプラＤポート４６０に分岐され、光カプラＤポート４６０から挿入された光は光カプラＢポート４５８及び光カプラＣポート４５９に分岐される。
それぞれの光カプラＡポート４５７は加入者系光ファイバケープル４１７に接続している。
【００７７】
次に、初期状態においては、挿抜光ファイバ４４５が第１の接続端子４６４に接続しており、この状態から挿抜光ファイバ４４５が第２の接続端子４６５に接続する状態に接続替えを行う場合を説明する。
【００７８】
先ず、所内設備のオペレータが、加入者情報、サービス情報等を含むネットワーク構成の変更項目を、作業支援携帯端末４３１、中間光配線管理機能部４３２又は総合光配線管理部４３３に投入する。
次に、中間光配線管理機能部４３２以外に投入された接続変更依頼は全て中間光配線管理機能部４３２に転送される。
中間光配線管理機能部４３２は、それ自体が持つデータベースを参照し、接続変更操作を行う挿抜光ファイバ４４５、第１の接続端子４６４及び第２の接続端子４６５を決定する。
決定した挿抜光ファイバ４４５の番号並びに第１の接続端子４６４及び第２の接続端子４６５の端子番号は、作業支援携帯端末４３１に転送され、接続替え作業者はこの指示に従って作業を行う。
【００７９】
次に、中間光配線管理機能部４３２は、ＦＳ４０３に対して第１の光カプラ４５５上の光カプラＤポート４６０と光モニター装置４６３とを接続する命令を発し、これに応答してＦＳ４０３が動作を実行すると、光モニター装置４６３が接続変更前の挿抜光ファイバ４４５からの信号をモニターする。
【００８０】
次に、接続替え作業者が作業支援携帯端末４３１に指示された第１の接続端子４６４を選択し、これに固定された挿抜光ファイバ４４５を確認する。
この際、作業支援携帯端末４３１が具えるバーコードリーダーで挿抜光ファイバ４４５に付与された識別記号を読込むことにより、確実な確認作業を行うことができる。
作業者が選択した挿抜光ファイバ４４５に誤りがない時は、作業支援携帯端末４３１が挿抜光ファイバ４４５の解放指示を出し、作業者がこれを確認して挿抜光ファイバ４４５を解放する。
【００８１】
挿抜光ファイバ４４５が解放されると、光モニター装置４６３が監視している挿抜光ファイバ４４５からの信号が断たれる。
光モニター装置４６３はこの信号停止情報を中間光配線管理機能部４３２に報告する。
この信号停止情報を受信した中間光配線管理機能部４３２は、ＦＳ４０３に対しで第２の光カプラ４５６上の光カプラＤポート４６０と可視光源４６２とを接続する命令を発し、これに応答してＦＳ４０３が動作を実行すると、可視光源４６２から発した可視光が第２の光カプラ４５６上の光カプラＢポート４５８即ち第２の接続端子４６５から発光する。
作業者は、接続盤４４７の発光により第２の接続端子４６５を確認し、作業支援携帯端末４３１に確認報告を行う。
確認報告は作業支援携帯端末４３１から中間光配線管理機能部４３２に転送される。
【００８２】
次に、中間光配線管理機能部４３２は、ＦＳ４０３に対して第２の光カプラ４５６上の光カプラＤポート４６０と光モニター装置４６３とを接続する命令を発し、これに応答してＦＳ４０３が動作を実行すると、光モニター装置４６３が第２の接続端子４６５からの信号挿入を待機する。
更に、中間光配線管理機能部４３２は、作業支援携帯端末４３１を介して作業者に接続盤４４７の第２の接続端子４６５への接続を指示する。
作業者は、作業支援携帯端末４３１の指示に従って挿抜光ファイバ４４５を第２の接続端子４６５に接続する。
【００８３】
挿抜光ファイバ４４５が第２の接続端子４６５に正常に接続されると、光モニター装置４６３が挿抜光ファイバ４４５からの信号を受光し、接続が終了したことを中間光配線管理機能部４３２に報告する。
接続終了の報告を受けた中聞光配線管理機能部４３２は、作業支援携帯端末４３１を介して作業者に作業完了を通知し、ＦＳ４０３に初期位置への移動を指示し、更に自体が持つデータベースの内容を変更する。
この実施例によれば、確実且つ迅速な作業が可能になる。
【００８４】
〔第１０実施例〕図２２は本実施形態の第１０実施例の光配線システムを示す構成図、図２３は同光配線システムの光配線盤を示す構成図であり、図において、５０１は光配線盤、５０２はクロスコネクト機能部、５０３は光ファイバ整列機能部、５０４は保留部、５０５は光スプリッタを有する光ジャンパ機能部、５０６は配線収容機能部、５０７は端末装置側成端機能部、５０８は光スプリッタを有しない光ジャンパ機能部、５０９は光ファイバ整列機能部５０３を複数奴容するための光ファイバ整列盤、５１０は端局装置側成端機能部、５１１は第１所内光ファイバケーブル、５１２は加入者系光ファイバケーブル、５１３は通信系光加入者線端局装置や映像系光加人者線端局装置などの光加入者線端局装置を収容する光加入者線端局装置収容架、５５１はコネクタプラグ、５５２はスプリッタである。
【００８５】
ただし、図２３は光スプリッタを有する光ジャンパ機能部５０５を用いた例であるが、この光ジャンパ機能部５０５の替わりに光スプリッタを有しない光ジャンパ機能部５０８を用いてもよい。
端局装置側成端機能部５１０では、複数の光加入者線端局装置に接続した第１所内光ファイバケーブル５１１を収容し、光ジャンパ機能部５０８に接続する。
光ジャンパ機能部５０８は大別してスプリッタ機能を有するもの（図２４）、スプリッタ機能を有しないもの（図２５）がある。
【００８６】
ここで、図２４は光ジャンパ機能部５０５、図２５は光ジャンパ機能部５０８をそれぞれ示す模式図であり、５６０は入力ポート、５６１はスプリッタ、５６２は出力側ポート、５６３は光フィルタである。
スプリッタ５６１は光加入者線端局装置からの通信光を複数のポートに分配する機能を有するもので、分配数は特に限定しないが、光加入者線端局装置との関係で４、８、１６等が有用である。
【００８７】
また、通信系と映像系の波長の異なった通信光を、前記分配数で任意に組み合わせ、出力ポートの光ファイバに混在させることができる。
スプリッタ機能を有しない光ジャンパ機能部５０８は光加入者線端局装置５１３からの通信光を分配しないで特定の加入者に捉供する場合に使用するもので、複数の入力ポートとそれに対応した出力ポートを有する。
スプリッタ機能を有する光ジャンパ機能部５０５およびスプリッタ機能を有しない光ジャンパ機能部５０８ともに、取付形状を同一にすることで、光ファイバ整列盤５０９の任意の位置に収容することを可能としている。
【００８８】
光ファイバ整列機能部５０３は、下記の機能を有する。
（１）前記光ジャンパ機能部５０５、５０８の出力ポートに接続された光コネクタプラグ付き光ファイバを収容し、使用中の光ファイバと保留中の光ファイバを分離する。
（２）使用中側と保留中側の出力開ロ部を有する。
（３）収容した光ファイバの特性を低下させないために曲げ径を保障する。
（４）使用中の光ファイバと保留中の光ファイバを前記開口部に入れ替えすることができる。
（５）収容した光ファイバが簡単に外れない。
（６）回転機構を含む光ファイバ引出機能を有する。
（７）光ファイバ被覆上に表示した識別情報を目視識別できる空間がある。
【００８９】
クコスコネクト機能部５０２に配線接続される使用中の光ファイバと、保留部５０４に保留される光ファイバが完全に分離されることで、保留中の光ファイバが使用中の光ファイバの特性に悪影響を与えない。
また、引出機能と目視識別の空間があることで、別の光ファイバ整列機能部５０３が積層して収容されていても、任意の光ファイバ整列機能部５０３の使用中の光ファイバと保留中の光ファイバの目視識別を行うことができる。
これらの機能により、対象の光ファイバを特定し、光ファイバ先端に取りつけた光コネクタプラグを光ファイバ整列機能部５０３近傍まで手繰り寄せることができる。
【００９０】
一端手繰り寄せた光コネクタプラグをクロスコネクト機能部５０２の新たな接続位置に接続替えをする。
この操作により光ファイバの絡まりを回避することができる。
なお、従来の技術では、接続替えを繰り返す度に絡まりが発生するため、光ファイバの収容密度を上げることができなかった。
【００９１】
光ジャンパ機能部５０５、５０８の出力ポートに接続される光ファイバは、一定の張力、曲げ剛性を有する被覆材で被覆されている必要があり、抗張力材とプラスチック被覆材による被覆構造が適している。
被覆材は難燃性プラスチック材を用いた。
この難燃性プラスチック材には、ポリオレフィン系樹脂、ポリアミド樹脂、ポリエステル系樹脂等のノンハロゲン樹脂を用いた。
なお、難燃性プラスチック材としては、難燃性を高めるために有機リン系を含有しない難燃剤を配合したものを用いた。
【００９２】
光配線盤の高密度収容を図るため、約１ｍｍの光コードが有用である。
光ジャンパ機能部５０５（５０８）に収容される光ファイバとしては、心数が３２心〜６４心のものが操作性、収容性の点で優れている。
光ファイバの目視による識別方法として、本システムでは、番号等の情報を表す識別記号を表示する。
識別記号には光ファイバ心線番号を表す記号・番号を併用した識別記号表示と、多心線の中から特定の１心を識別するために、光ファイバの被覆を着色またはカラー印刷し、識別記号表示と租み合わせることで識別性を向上させた。
前記識別情報は光ファイバの外周方向に１または複数、長さ方向に一定間隔に連続して表示することで、光ファイバのどの位置からも識別することが可能であり、識別記号は横向き縦向き、正位、反転を組み合わせることでどの方向からも識別することができる。
【００９３】
光ファイバ整列盤５０９は、光ジャンパ機能部５０５（５０８）を複数収容する機能を有している。
収容方式として、縦収容方式、横収容方式があり、縦収容方式には鉛直方向または斜め方向に１列または複数列収容する方式、横収容方式にも横または斜めに１列または複数列収容する方式がある。
光ジャンパ機能部５０５（５０８）の出力光ファイバの長さを一定とし、クロスコネクト機能部５０２のどの位置にも配線できるようにするためには、縦１列収容方式が有用である。
この場合、光ジャンパ機能部５０５（５０８）は光ファイバ整列機能部５０３と一体化して、光ファイバ整列盤５０９の下部より順次上に収容していくことが可能となる。
この方式により、使用中の光ファイバに悪影響を与えずに光ジャンパ機能部５０５（５０８）を増設することができる。
【００９４】
縦１列収容方式で使用中の光ファイバの余長を光配線収容機能部内に納めるには、クロスコネクト機能部５０２および光ファイバ整列盤５０９の収容位置は光配線盤取付架高さの概ね中央部より上部に位置していることで可能となる。
クロスコネクト機能部５０２の片端は加入者系光ファイバケーブルに接続されることで、加入者に接続されている。
このため、光ファイバ整列機能部５０３と各種の光ジャンパ機能部５０５（５０８）を光ファイバ整列機能部５０３に収容し、各種の伝送サービスをクロスコネクト機能部５０２で接続替えすることで、加入者に提供することができる。
【００９５】
〔第１１実施例〕図２６は本実施形態の第１１実施例の光配線システムを示す構成図であり、光ファイバ整列機能部に第１所内光ファイバケーブルを直接収容する光配線システムの一例である。
光加入者線端局装置収容架５１３から配線された複数の第１所内光ファイバケーブル５１１を端局装置側成端機能部５１０に収容した後、該第１所内光ファイバケーブル５１１の光ファイバを光ファイバ整列機能部５０３に収容する。
前記光ファイバケーブル５１１の光配線盤収容側は単心の光ファイバの先端に光コネクタプラグが装着された構造となっている。
【００９６】
この光ファイバ整列機能部５０３は、図２２に示す光ファイバ整列機能部と同様の機能を有する。
ただし、光コネクタプラグ付きの光ファイバを光ファイバ整列機能部５０３に装置するため、光ファイバの挿入口としてスリットまたは扉付き開口部を有し、光ファイバの挿入を容易にするとともに簡単には外れない構造とすることが必要である。
光加入者線端局装置の伝送サービスと加入者が一対一で対応する場合、または加入者系光ファイバケーブルと加入者の間で通信光を分配する機能を有している光配線システムに適用できる。
【００９７】
〔第１２実施例〕図２７は本実施形態の第１２実施例の統合型光配線システムを示す構成図であり、光配線盤Ａ（５２０）と光配線盤Ｂ（５２１）を備え、光配線管理機能と光試験機能を有する統合型光配線システムの一例である。
当然、光配線盤Ａ（５２０）と光配線盤Ｂ（５２１）の構成でも光配線システムとして適用可能である。
この光配線盤Ａ（５２０）と光配線盤Ｂ（５２１）の構成では、光配線盤Ｂ（５２１）に対して複数の光配線盤Ａ（５２０）が収容できる。
【００９８】
光配線盤Ｂ（５２１）は、複数の光配線盤Ａ（５２０）に収容された加入者と複数の光加入者線端局装置収容架５１３の間に位置し、配線を振り分ける機能を有する。
光配線盤Ｂ（５２１）のない光配線システムにおいては、複数の光配線盤Ａ（５２０）と複数の光加入者線端局装置の間に網の目状の光ファイバケーブルを配線する必要が生しるうえに、光ファイバケーブルの種類も心数の少ないものから多数心のものまで用意しなければならない。
この光配線盤Ｂ（５２１）を設置することにより、多数心の光ファイバケーブルを先行配線することが可能となり、光ファイバケーブル配線の輻輳を回避することができる。
【００９９】
光配線盤Ａ（５２０）は、図２２のものと同等の機能を有し、光配線盤Ｂ（５２１）は、図２６のものと同等の機能を有する。
光配線盤Ａ（５２０）と光配線盤Ｂ（５２１）との間は架間光ファイバケーブル５１６で接続する。
光配線盤Ｂ（５２１）は、架間光ファイバケーブルを収容する光ファイバ整列機能部５０３を有し、光配線盤Ａ（５２０）は、光ジャンパ機能部を有する。
【０１００】
これらの構成によっても光配線システムとしての機能を確保できるが、さらに光試験機能を組み込むことで、光加入者線端局装置から加入者までの光配線の保守・監視が可能となる。
光試験機能を付与するには、光配線盤Ａ（５２０）のクロスコネクト機能部５０２近傍から光加入者線端局装置側、または加入者側の光ファイバに光試験のための試験光を挿入する光カプラを有する光試験アクセス機能部５１４、複数の光試験アクセス機能部５１４に試験光を切り替えて挿入する光ファイバ選択機能部５３０、試験光の送出及び試験光の戻り光を測定、分析する光試験機能部５３３を組み込むことで実現することができる。
【０１０１】
さらに、通信光をモニタするモニタ機能部５３５、光ファイバの心線対照をおこなう光ファイバ心線対照機能部５３６を組み込むことができる。
この光試験機能を付与する構成物は光配線盤Ａ（５２０）のクロスコネクト機能部５０２、または光配線盤Ｂ（５２１）の光配線概能部の下部に収納することができる。
【０１０２】
試験アクセス機能部５１４の片端には加入者系光ファイバケーブルが接続され、もう一方の端面はクロスコネクト機能部５０２となっている。
クロスコネクト機能部５０２側は多連のレセプタクルを装着する。
なお、従来ではＳＣ型のレセプタクルが適用されてきたが、光配線盤の収容密度を上げるため、小型のＭＵ型の１６連レセプタクルを適用することで、４０００端子以上のクロスコネクトを実現することができる。
【０１０３】
加入者系光ファイバケーブルとの接続は、８心多心コネクタ（ＭＴ型）の使用が可能である。
例えば、約１０ｍｍの幅に８心コネクタを２個装着し、１６連レセプタクルと整合させることで、収容密度の向上を図ることができる。
加入者系光ファイバケーブルの光テープ心線の余長は、１０ｍｍ幅の試験アタセス機能部５１４の中央に仕切板を置き、仕切板の左右に収容する。
光ファイバ選択装置との接続には１６心の多心コネクタが有用である。
【０１０４】
試験光は、通信に影響を与えないようにするため、通信光と異なった波長を使用する。
また、試験光が伝送装置に影響を与えないようにするため、光配線内に光フィルタを挿入する。
本システムでは、光フィルタを光ジャンパ機能部５０８の伝送装置側に挿入した。
光フィルタをこの位置に挿入することで、光フィルタ数を少なくすることができる。
【０１０５】
これらのシステム構成に対して、光配線管理機能部５２５を組み込むことで複雑な光配線を計算機のデータベースシステム５２４へ適用することと、光ファイバ、クロスコネクト機能部５０２、光配線機能部５１７に装着した二次元の識別コード５１９を、読み取り装置５２２を使用して読み取ることで光配線の情報をデータベースに登録することが可能となり、配線業務を支援することができる。
【０１０６】
この二次元の識別コードを光ファイバに装着するには、光ファイバ被覆上に移動可能なタグを取付け、タグ上に識別コードを印刷または貼り付ける方法を適用することで実現することができる。
一次元のコードとしてはバーコードが一般的であるが、本光配線システムのような高密度の光配線システムにおいては、光ファイバの細径化が必要であるから、付与する識別コードも小型化が必要である。
【０１０７】
この二次元の識別コードでは、５ｍｍ角以下の大きさでも約３０桁行の英数字の情報表示が可能であり、一次元のバーコードに比べて小形化を図ることができる。
二次元の織別コードは小形であるから、構成物品の管理にも適用することができる。
【０１０８】
クロスコネクト機能部５０２や光配線機能部５１７の光レセプタクル、光アダプタの端子位置情報は、それぞれの保護キャップに二次元の識別コードを印刷または貼り付け、あるいは端子情報を表す目視識別記号を表示することで実現することができる。
二次元の識別コードを適用すれば、データベースの登録・変更処理の自動化を図ることができるという利点がある。
【０１０９】
〔第１３実施例〕図２８は本実施形態の第１３実施例の光配線システムを示す構成図であり、光ジャンパ機能部５０５と光ファイバ整列機能部５０３を一体化した光配線システムの一例である。
【０１１０】
架間光ファイバケーブル５１５を光ジャンパ機能部５０５の入力ポートにコネクタ接続し、スプリッタ５４７により分配された光ファイバを光ファイバ整列機能部５０３に挿入する。
この挿入された光ファイバは、保留中の光ファイバ５４３として保留盤５０４に保留される。
【０１１１】
一方、試験アクセス機能部５１４の一方の端面は、加入者系光ファイバケーブル５１２を介して加入者に接続されている。
この試験アクセス機能部５１４の他方の端面はクロスコネクト機能部５０２である。
加入者にサービスを提供する場合には、保留中の特定の光ファイバをクロスコネクト機能部５０２で接続する。
この場合、識別空間５４４で接続する特定の光ファイバを目視で識別する。
【０１１２】
光ファイバ整列機能部５０３は、回転引出機能５４５を有するので、光ファイバの目視による識別が容易になる。
光ファイバの目視による識別は、識別記号５５０及び色識別５４９により行うことができる。
クロスコネクト機能部５０２に接続された光ファイバは、使用中の光ファイバ５４２として、保留中の光ファイバと完全に分離され、保留中の光ファイバと輻輳することはない。
【０１１３】
光ファイバとクロスコネクト機能部５０２に二次元の識別コード５１９を装着することにより、接続情報のデータベース登録の自動化が可能となる。
例えば、光ファイバの識別コードは、識別タグ５４１を光ファイバの被覆層の表面に取り付けることにより、視認性が向上する。
この場合、識別タグ５４１は、他の光ファイバに引っかからないように、丸みをおびた構造のものが好適である。
また、識別コードは、光コネクタプラグ５４０近傍に装着する。
この識別タグ５４１は、光ファイバの被覆上を移動することができる構造にすることにより、操作性を向上させることができる。
【０１１４】
以上、本発明の各実施の形態につき説明したが、本発明は、必ずしも上述した構造及び方法にのみ限定されるものではなく、本発明にいう目的を達成し、本発明にいう効果を有する範囲内において、適宜に変更実施することが可能なものである。
【図面の簡単な説明】
【０１１５】
【図１】本発明の第１の実施形態に係る光配線盤を示す構成図である。
【図２】本発明の第１の実施形態に係る光配線盤の整列部材の詳細を示す構成図である。
【図３】整列部材の他の例を示す構成図である。
【図４】整列部材のさらに他の例を示す構成図である。
【図５】本発明の第２の実施形態に係る光ファイバコードの一例を示す外観図である。
【図６】図５の光ファイバコードを利用した集合型光ファイバコードを示す概略構成図である。
【図７】図６の集合型光ファイバコードの配線盤への接続状態を説明する説明図である。
【図８】本発明の第２の実施形態に係る光ファイバコードの変形例を示す外観図である。
【図９】本発明の第２の実施形態に係る光ファイバコードの他の変形例を示す外観図である。
【図１０】本発明の第２の実施形態に係る光ファイバコードの他の変形例を示す外観図である。
【図１１】本発明の第２の実施形態に係る光ファイバコードの他の変形例を示す外観図である。
【図１２】本発明の第２の実施形態に係る光ファイバコードの他の変形例を示す外観図である。
【図１３】本発明の第２の実施形態に係る光ファイバコードの他の変形例を示す外観図である。
【図１４】本発明の第２の実施形態に係る光ファイバコードの他の変形例を示す外観図である。
【図１５】本発明の第３の実施形態に係る光配線システムを含む所内設備の構成を示す構成図である。
【図１６】本発明の第３の実施形態に係る光配線システムと設備センター内にある他の設備との接続形態を示す図である。
【図１７】本発明の第３の実施形態に係る光配線システムの第３実施例を示す平面図である。
【図１８】本発明の第３の実施形態に係る光配線システムの第３実施例を示す平面図である。
【図１９】本発明の第３の実施形態に係る光配線システムの整列盤を用いたジャンパ方式を示す説明図である。
【図２０】本発明の第３の実施形態に係る光配線システムの接続盤の一部分を示す正面図である。
【図２１】本発明の第３の実施形態に係る光配線システムの第９実施例を示す構成図である。
【図２２】本発明の第３の実施形態に係る光配線システムの第１０実施例を示す構成図である。
【図２３】本発明の第３の実施形態に係る光配線システムの第１０実施例の光配線盤を示す構成図である。
【図２４】本発明の第３の実施形態に係る光配線システムの第１０実施例のスプリッタ機能を有する光ジャンパ機能部の一例を示す概略構成図である。
【図２５】本発明の第３の実施形態に係る光配線システムの第１０実施例のスプリッタ機能を有しない光ジャンパ機能部を示す概略構成図である。
【図２６】本発明の第３の実施形態に係る光配線システムの第１１実施例を示す構成図である。
【図２７】本発明の第３の実施形態に係る光配線システムの第１２実施例を示す構成図である。
【図２８】本発明の第３の実施形態に係る光配線システムの第１３実施例を示す構成図である。
【図２９】従来のＦＴＭを合む所内設備を示す構成図である。
【図３０】従来の設備センター内の所内設備の配置を示す図である。
【図３１】光カプラ及びＦＳを具える従来のＦＴＭの構成を示す図である。
【図３２】従来のＦＴＭにおける接続部を示す構成図である。
【符号の説明】
【０１１６】
１  ＦＴＭ
２  光カプラ
３  光ファイバ選択装置
４  試験用分岐光ファイバ
５  光合分波器
６  伝送装置側光フィルタ
７  通信系光加入者線端局装置
８  映像系光加入者線端局装置
９  光加入者線端局装置収容架
１０  スターカプラ架
１１  試験装置架
１２  試験装置
１３  光ファイバ選択装置制御及び試験装置選択装置
１４  ＦＳマスタ側光ファイバ
１５  第１所内光ファイバケーブル
１６  第２所内光ファイバケーブル
１７  加入者系光ファイバケーブル
１８  加入者側光フィルタ
１９  通信系光加入者線終端装置
２０  映像系光加入者線終端装置
２１  余長振り分け部材
２２  余長処理棚
２３  光コネクタアダプタ
２４  光コネクタ
２５  単心テープ心接続部
１０１  配線盤本体
１０２  コネクタ接続盤
１０３  保留盤
１０４  光ファイバコード
１０６  収容部
１０７  整列盤
１０８  光コネクタアダプタ
１０９  整列部材取付枠
１１０  整列部材
１１１，１１２  アーム部分
１１３，１１４  光ファイバコード通過口
１１３ａ，１１４ａ  開口部
１２０  整列部材
１２１，１２２  アーム部分
１２３，１２４，１２５  光ファイバコード通過口
１２３ａ，１２４ａ，１２５ａ  開口部
１３０  整列部材
１３１  一の部分
１３２  他の部分
１３３，１３４，１３５  光ファイバコード通過ロ
１３３ａ，１３４ａ，１３５ａ  開口部
２０１  配線盤
２０２  接続盤
２０３  整列盤
２０４  保留盤
２１０  光ファイバコード
２１１  外被
２１２  識別記号
２１３  カラードット
２２０  光ファイバコード
２２３  カラーライン
２３０，２４０，２５０，２６０  光ファイバコード
２５２  識別記号
２７０，２８０  光ファイバコード
２７１  外被
３００  ユニット
３１０  集合型光ファイバコード
３２０  光ファイバケーブル
３２１  外被
４０１  統合型光配線システム
４０２  光カプラ
４０３  光ファイバ選択装置
４０７  通信系光加入者線端局装置
４０８  映像系光加入者線端局装置
４０９  光加入者線端局装置収容架
４１０  スターカプラ架
４１１  試験装置架
４１５  第１所内光ファイバケーブル
４１７  加入者系光ファイバケーブル
４２６  試験アクセス機能部
４２７  クロスコネクト機能部
４２８  スプリッタ機能部
４２９  光配線機能部
４３０  光ファイバ選択機能部
４３１  作業支援携帯端末
４３２  中間光配線管理機能部
４３３  総合光配線管理部
４３４  データ通信ネットワーク
４３５  設備オペレーションシステム
４３６  統合型光配線モジュール
４３７  光配線管理機能部
４３９  装置間インタフェース
４４０  基本モジュール
４４１  増設モジュール
４４２  試験アクセスユニット
４４３  整列盤
４４４  保持盤ユニット
４４５  挿抜光ファイバ
４４６  配線ユニット
４４７  接続盤
４４８  所内光ファイバケーブル固定部
４４９  保持盤
４５０  第３所内光ファイバケーブル
４５１  コードストッパ
４５２  表示部
４５４  余長収納部
４５５  第１の光カプラ
４５６  第２の光カプラ
４５７  光カプラＡポート
４５８  光カプラＢポート
４５９  光カプラＣポート
４６０  光カプラＤポート
４６１  光パルス試験器
４６２  可視光源
４６３  光モニター装置
４６４  第１の接続端子
４６５  第２の接続端子
４７１  測定器選択機能部
４７２  光試験機能部
４７３  モニター機能部
４７４  光ファイバ対照機能部
４８０  端局装置側成端機能部
４８１  端末装置側成端機能部
５０１  光配線盤
５０２  クロスコネクト機能部
５０３  光ファイバ整列機能部
５０４  保留部
５０５  光スプリッタを有する光ジャンパ機能部
５０６  配線収容機能部
５０７  端末装置側成端機能部
５０８  光スプリッタを有しない光ジャンパ機能部
５０９  光ファイバ整列盤
５１０  端局装置側成端機能部
５１１  第１所内光ファイバケーブル
５１２  加入者系光ファイバケーブル
５１３  光加入者線端局装置収容架
５１４  試験アクセス機能部
５１７  光配線機能部
５１９  識別コード
５２０  光配線盤Ａ
５２１  光配線盤Ｂ
５２２  読み取り装置
５２４  データベースシステム
５２５  光配線管理機能部
５３５  モニタ機能部
５３６  光ファイバ心線対照機能部
５４０  光コネクタプラグ
５４１  識別タグ
５４２  使用中の光ファイバ
５４３  保留中の光ファイバ
５４４  識別空間
５４５  回転引出機能
５４７  スプリッタ
５４９  色識別
５５０  識別記号
５５１  コネクタプラグ
５５２  スプリッタ
５６０  入力ポート
５６１  スプリッタ
５６２  出力側ポート
５６３  光フィルタ
【図１】
2007328344.tif 000003
【図２】
2007328344.tif 000004
【図３】
2007328344.tif 000005
【図４】
2007328344.tif 000006
【図５】
2007328344.tif 000007
【図６】
2007328344.tif 000008
【図７】
2007328344.tif 000009
【図８】
2007328344.tif 000010
【図９】
2007328344.tif 000011
【図１０】
2007328344.tif 000012
【図１１】
2007328344.tif 000013
【図１２】
2007328344.tif 000014
【図１３】
2007328344.tif 000015
【図１４】
2007328344.tif 000016
【図１５】
2007328344.tif 000017
【図１６】
2007328344.tif 000018
【図１７】
2007328344.tif 000019
【図１８】
2007328344.tif 000020
【図１９】
2007328344.tif 000021
【図２０】
2007328344.tif 000022
【図２１】
2007328344.tif 000023
【図２２】
2007328344.tif 000024
【図２３】
2007328344.tif 000025
【図２４】
2007328344.tif 000026
【図２５】
2007328344.tif 000027
【図２６】
2007328344.tif 000028
【図２７】
2007328344.tif 000029
【図２８】
2007328344.tif 000030
【図２９】
2007328344.tif 000031
【図３０】
2007328344.tif 000032
【図３１】
2007328344.tif 000033
【図３２】
2007328344.tif 000034